(57)【要約】【課題】従来の送受信回路においては送信受信を切り分ける高価なスイッチを使用し消費電流が増大するという問題があった。【解決手段】第１の増幅器の電源が遮断された際に受信帯域における前記第１の増幅器の出力インピーダンスがほぼ開放になるように第１の移相線路が前記第１の増幅器と前記アンテナ端子間に接続され、さらに第２の増幅器の電源が遮断された際に送信帯域における前記第２の増幅器の入力インピーダンスがほぼ開放となるように第２の移相線路が前記アンテナ端子間と前記第２の増幅器間に接続されたことを特徴とする送受信回路である。上記の構成とすることにより、送受の切替を行うスイッチを無くすことが出来るため、部品点数が少なく、低コストで、低消費電流化、高受信感度化された送受信回路を提供することが出来る。【選択図】  図１
2004343517.tif 000002
【特許請求の範囲】
【請求項１】
アンテナ端子と送信端子の間に第１の増幅器と第１の移相線路を直列に接続し、前記アンテナ端子と受信端子の間に第２の増幅器と第２の移相線路を直列に接続した送受信回路において、前記第１の増幅器の電源が遮断された際に受信帯域における前記第１の増幅器の出力インピーダンスがほぼ開放になるように第１の移相線路を設定し、さらに前記第２の増幅器の電源が遮断された際に送信帯域における前記第２の増幅器の入力インピーダンスがほぼ開放となるように第２の移相線路を設定した送受信回路。
【請求項２】
第１および第２の移相線路の少なくともいずれか一方をＬＣ回路とした請求項１に記載の送受信回路。
【請求項３】
第１の移相線路はグランド間にパラレルにコンデンサ、シリーズにインダクタを接続したπ型もしくはＴ型ローパスフィルタタイプのＬＣ回路とした請求項１に記載の送受信回路。
【請求項４】
第１の移相線路と第２の移相線路の接続部とアンテナ端子間にローパスフィルタを接続した請求項１に記載の送受信回路。
【請求項５】
第２の移相線路はグランド間にパラレルにインダクタ、シリーズにコンデンサを接続したπ型もしくはＴ型のハイパスフィルタタイプのＬＣ回路とした請求項１に記載の送受信回路。
【請求項６】
同時に送信および受信を行わない第１と第２のシステムに対応し、アンテナ端子と第１の送信入力端子の間に第１の移相線路と第１の送信増幅器を直列に接続し、前記アンテナ端子と第２の送信入力端子の間に第２の移相線路と第２の送信増幅器を直列に接続し、前記アンテナ端子と第１の受信出力端子の間に第３の移相線路と第１の受信増幅器を直列に接続し、前記アンテナ端子と第２の受信出力端子の間に第４の移相線路と第２の受信増幅器を直列に接続した送受信回路。
【請求項７】
第１の送信増幅器の電源が遮断された際に第２のシステムの送信帯域における前記第１の送信増幅器の出力インピーダンスがほぼ開放になるように第１の移相線路を前記第１の送信増幅器の出力側に接続し、前記第２の送信増幅器の電源が遮断された際に第１のシステムの送信帯域における前記第２の送信増幅器の出力インピーダンスがほぼ開放となるように第２の移相線路を第２の送信増幅器の出力側に接続した請求項６に記載の送受信回路。
【請求項８】
第１の受信増幅器の電源が遮断された際に第２のシステムの受信帯域における前記第１の受信増幅器の入力インピーダンスがほぼ開放になるように第３の移相線路を前記第１の受信増幅器の入力側に接続し、前記第２の受信増幅器の電源が遮断された際に第１のシステムの受信帯域における前記第２の受信増幅器の入力インピーダンスがほぼ開放となるように第４の移相線路を第２の受信増幅器の入力側に接続した請求項６に記載の送受信回路。
【請求項９】
アンテナ端子と第１の移相線路と第２の移相線路および第３の移相線路と第４の移相線路の間にＳＰＤＴ（単極双投）スイッチを接続した請求項６に記載の送受信回路。
【請求項１０】
アンテナ端子とＳＰＤＴスイッチ間にローパスフィルタを接続した請求項６に記載の送受信回路。
【請求項１１】
第３および第４の移相線路の少なくともいずれか一方をグランド間にパラレルにインダクタ、シリーズにコンデンサを接続したπ型もしくはＴ型のハイパスフィルタタイプのＬＣ回路とした請求項６に記載の送受信回路。
【請求項１２】
第１および第２の受信増幅器の電源を遮断した際に、第３および第４の移相線路を介して第１および第２の送信帯域で受信側を見たインピーダンスがほぼ開放となるように第５の移相線路をアンテナ端子と第３および第４の位相線路の間に接続し、さらに第１および第２の送信増幅器の電源を遮断した際に、第１および第２の移相線路を介して第１および第２の受信帯域で送信側を見たインピーダンスがほぼ開放となるように第６の移相線路をアンテナ端子と第１および第２の移相線路の間に接続した請求項６に記載の送受信回路。
【請求項１３】
第５の移相線路をグランド間にパラレルにインダクタ、シリーズにコンデンサを接続したπ型もしくはＴ型のハイパスフィルタタイプのＬＣ回路で構成し、且つ第３と第４の移相線路をグランド間にパラレルにコンデンサ、シリーズにインダクタを接続したπ型もしくはＴ型ローパスフィルタタイプのＬＣ回路で構成、もしくは前記第５の移相線路とグランド間にパラレルにコンデンサ、シリーズにインダクタを接続したπ型もしくはＴ型ローパスフィルタタイプのＬＣ回路で構成し、前記第３と第４の移相線路をグランド間にパラレルにインダクタ、シリーズにコンデンサを接続したπ型もしくはＴ型のハイパスフィルタタイプのＬＣ回路で構成した請求項６に記載の送受信回路。
【請求項１４】
第１および第２の移相線路のいずれかもしくは両方をグランド間にパラレルにコンデンサ、シリーズにインダクタを接続したπ型もしくはＴ型ローパスフィルタタイプのＬＣ回路で構成した請求項６に記載の送受信回路。
【発明の詳細な説明】
【０００１】
【発明の属する技術分野】
本発明は無線通信システムに用いることが出来る送受信回路に関するものである。
【０００２】
【従来の技術】
近年、携帯電話や無線ＬＡＮなど、無線通信システムは便利で快適な情報交換のツールとして急速に需要が拡大している。従来の無線通信システムは、送信するために変調された高周波信号を増幅する回路とアンテナから受けた微弱な受信信号を増幅する回路をもつ。
【０００３】
図１１に従来の無線回路における送受信回路の代表例を示す。
【０００４】
図１１において、１０１はアンテナ端子、１０２は送信端子、１０３は受信端子、１０４は第１の増幅器、１０５は第１の増幅器１０４の高調波成分を除去するローパスフィルタ、１０６は送受信の信号を切替えるスイッチ、１０７は受信信号を通過帯域とするバンドパスフィルタ、１０８は受信信号を増幅させる第２の増幅器（低雑音増幅器；ＬＮＡ）である。
【０００５】
そして、時分割で送受信が行われるときには図１１に示すような送受の切替えをスイッチ１０６を用いて行うのが一般的である。また、そのとき安定した通信を行うために、通常、送信側の増幅回路の高調波成分を除去するフィルタと、受信信号以外の不要な信号を除去するフィルタを具備するのが一般的である。
【０００６】
なお、この出願の発明に関連する先行技術文献情報としては、例えば、特許文献１が知られている。
【０００７】
【特許文献１】
特開平１０−３２５２１号公報
【０００８】
【発明が解決しようとする課題】
しかしながら、上記の従来の構成によれば送信受信を切り分ける高価なスイッチ１０６が必要であり、部品コストの増大を招くばかりでなくスイッチ１０６そのものの損失により送信時に送信アンプ１０４の負担が大きくなり消費電流が増大するために、電池駆動のシステムであれば電池寿命の短寿命化を招く。
【０００９】
また一方で、受信時には受信感度の劣化および通信スピードの劣化を生じるとともに、スイッチ１０６の持つ非線型によって送信時には高調波スプリアスの発生や受信時には混変調特性による感度劣化をきたしていた。
【００１０】
さらに、デュアルバンドシステムになれば、これらの悪影響は更に大きなものとなっていた。
【００１１】
本発明は以上の課題に鑑み、部品点数が少なく低コストで挿入損失を小さくでき、デバイスの非線型性による特性劣化のない送受信回路を提供するものである。
【００１２】
【課題を解決するための手段】
本発明の請求項１に記載の発明は、アンテナ端子と送信端子の間に第１の増幅器と第１の移相線路を直列に接続し、前記アンテナ端子と受信端子の間に第２の増幅器と第２の移相線路を直列に接続した送受信回路において、前記第１の増幅器の電源が遮断された際に受信帯域における前記第１の増幅器の出力インピーダンスがほぼ開放になるように第１の移相線路を設定し、さらに前記第２の増幅器の電源が遮断された際に送信帯域における前記第２の増幅器の入力インピーダンスがほぼ開放となるように第２の移相線路を設定した送受信回路であり、上記の構成とすることにより送受の切替えを行うスイッチを無くすことができるため、部品点数が少なく低コストで低消費電流化、高受信感度化された送受信回路を提供することができる。
【００１３】
本発明の請求項２に記載の発明は、第１および第２の移相線路の少なくともいずれか一方をＬＣ回路とした請求項１に記載の送受信回路であり、上記の構成とすることにより、移相線路そのものをローパスフィルタもしくはハイパスフィルタの特性を持たせる構成とすることができるため、不要な送信信号を除去したり、不要な受信信号を除去することができ、他の通信システムに悪影響を及ぼしたり他の通信システムから影響を及ぼされたりすることのないより優れたシステムとすることができる。
【００１４】
本発明の請求項３に記載の発明は、第１の移相線路はグランド間にパラレルにコンデンサ、シリーズにインダクタを接続したπ型もしくはＴ型ローパスフィルタタイプのＬＣ回路とした請求項１に記載の送受信回路であり、上記の構成とすることにより、移相線路がローパスフィルタの特性を持つため、送信側の増幅器（第１の増幅器）の高調波成分を効率良く除去することができ、他のシステムに悪影響を与えないより高性能な送受信回路とすることができる。
【００１５】
本発明の請求項４に記載の発明は、第１の移相線路と第２の移相線路の接続部とアンテナ端子間にローパスフィルタを接続した請求項１に記載の送受信回路であり、上記の構成とすることにより送信側の増幅器（第１の増幅器）の高調波成分を効率良く除去することができ、他のシステムに悪影響を与えないより高性能な送受信回路とすることができる。
【００１６】
本発明の請求項５に記載の発明は、第２の移相線路はグランド間にパラレルにインダクタ、シリーズにコンデンサを接続したπ型もしくはＴ型のハイパスフィルタタイプのＬＣ回路とした請求項１に記載の送受信回路であり、上記の構成とすることにより、アンテナから受信回路の経路においてローパスフィルタとハイパスフィルタを通るため、バンドパスフィルタを挿入したのと同等の不要信号を除去し、より帯域外不要信号に強い送受信回路とすることができる。また、このハイパスフィルタは移相線路も兼ねているため部品点数を少なく低損失にすることができ、小型、低コスト、高受信感度を実現することができる。
【００１７】
本発明の請求項６に記載の発明は、同時に送信および受信を行わない第１と第２のシステムに対応し、アンテナ端子と第１の送信入力端子の間に第１の移相線路と第１の送信増幅器を直列に接続し、前記アンテナ端子と第２の送信入力端子の間に第２の移相線路と第２の送信増幅器を直列に接続し、前記アンテナ端子と第１の受信出力端子の間に第３の移相線路と第１の受信増幅器を直列に接続し、前記アンテナ端子と第２の受信出力端子の間に第４の移相線路と第２の受信増幅器を直列に接続した送受信回路であり、上記の構成とすることにより、デュアルバンドで通信を行うシステムにおいて部品点数が少なく低コスト、小型で、低損失なデュアルバンドに対応した送受信回路を提供することができる。
【００１８】
本発明の請求項７に記載の発明は、第１の送信増幅器の電源が遮断された際に第２のシステムの送信帯域における前記第１の送信増幅器の出力インピーダンスがほぼ開放になるように第１の移相線路を前記第１の送信増幅器の出力側に接続し、前記第２の送信増幅器の電源が遮断された際に第１のシステムの送信帯域における前記第２の送信増幅器の出力インピーダンスがほぼ開放となるように第２の移相線路を第２の送信増幅器の出力側に接続した請求項６に記載の送受信回路であり、上記の構成とすることにより、デュアルバンドで通信を行うシステムにおいて周波数の異なる送信器の選択スイッチを無くすことができる。
【００１９】
本発明の請求項８に記載の発明は、第１の受信増幅器の電源が遮断された際に第２のシステムの受信帯域における前記第１の受信増幅器の入力インピーダンスがほぼ開放になるように第３の移相線路を前記第１の受信増幅器の入力側に接続し、前記第２の受信増幅器の電源が遮断された際に第１のシステムの受信帯域における前記第２の受信増幅器の入力インピーダンスがほぼ開放となるように第４の移相線路を第２の受信増幅器の入力側に接続した請求項６に記載の送受信回路であり、上記の構成とすることにより、デュアルバンドで通信を行うシステムにおいて、周波数の異なる受信器の選択スイッチを無くすことができ、結果、部品点数が少なく、低コスト、小型で低損失なデュアルバンドに対応した送受信回路を提供することができる。
【００２０】
本発明の請求項９に記載の発明は、アンテナ端子と第１の移相線路と第２の移相線路および第３の移相線路と第４の移相線路の間にＳＰＤＴ（単極双投）スイッチを接続した請求項６に記載の送受信回路であり、上記の構成とすることによりデュアルバンドで通信を行うシステムにおいて、周波数の異なる送信器および受信器の選択スイッチを無くすことができるとともに、送受の切替えをスイッチで行うため送受の切替えを増幅器や移相線路のインピーダンスをあまり気にせずに簡単に設計できるため、その結果、部品点数が少なく、低コスト、小型で、低損失なデュアルバンドに対応した送受信回路を提供することができる。
【００２１】
本発明の請求項１０に記載の発明は、アンテナ端子とＳＰＤＴスイッチ間にローパスフィルタを接続した請求項６に記載の送受信回路であり、上記の構成とすることによりデュアルバンドで通信を行うシステムにおいて、送信側の増幅器の高調波成分を効率良く除去することができ、他のシステムに悪影響を与えないより高性能な送受信回路とすることができる。
【００２２】
本発明の請求項１１に記載の発明は、第３および第４の移相線路の少なくともいずれか一方をグランド間にパラレルにインダクタ、シリーズにコンデンサを接続したπ型もしくはＴ型のハイパスフィルタタイプのＬＣ回路とした請求項６に記載の送受信回路であり、上記の構成とすることにより、デュアルバンドで通信を行うシステムにおいて、アンテナから各受信回路の経路でローパスフィルタとハイパスフィルタを通るため、結果としてバンドパスフィルタを挿入したのと同等の不要信号除去がなされる。これにより帯域外不要信号に強い送受信回路とすることができる。
【００２３】
また、このハイパスフィルタは移相線路も兼ねているため部品点数を少なくすることができ、小型、低コスト、高受信感度を実現することができる。
【００２４】
本発明の請求項１２に記載の発明は、第１および第２の受信増幅器の電源を遮断した際に、第３および第４の移相線路を介して第１および第２の送信帯域で受信側を見たインピーダンスがほぼ開放となるように第５の移相線路をアンテナ端子と第３および第４の位相線路の間に接続し、さらに第１および第２の送信増幅器の電源を遮断した際に、第１および第２の移相線路を介して第１および第２の受信帯域で送信側を見たインピーダンスがほぼ開放となるように第６の移相線路をアンテナ端子と第１および第２の移相線路の間に接続した請求項６に記載の送受信回路であり、上記の構成とすることによりデュアルバンドで通信を行うシステムにおいて送信受信を切替えるスイッチが不要となり、部品点数が少なく、低コスト、小型で、低損失な送受信回路とすることができる。
【００２５】
本発明の請求項１３に記載の送受信回路は、第５の移相線路をグランド間にパラレルにインダクタ、シリーズにコンデンサを接続したπ型もしくはＴ型のハイパスフィルタタイプのＬＣ回路で構成し、且つ第３と第４の移相線路をグランド間にパラレルにコンデンサ、シリーズにインダクタを接続したπ型もしくはＴ型ローパスフィルタタイプのＬＣ回路で構成、もしくは前記第５の移相線路とグランド間にパラレルにコンデンサ、シリーズにインダクタを接続したπ型もしくはＴ型ローパスフィルタタイプのＬＣ回路で構成し、前記第３と第４の移相線路をグランド間にパラレルにインダクタ、シリーズにコンデンサを接続したπ型もしくはＴ型のハイパスフィルタタイプのＬＣ回路で構成した請求項６に記載の送受信回路であり、上記の構成とすることでデュアルバンドで通信を行うシステムのアンテナから各受信回路の経路において、ローパスフィルタとハイパスフィルタを通ることによりバンドパスフィルタを挿入したのと同等の不要信号除去がなされるため、より帯域外不要信号に強い送受信回路とすることができる。
【００２６】
また、このハイパスフィルタは移相線路も兼ねているため部品点数を少なく、また低損失にすることができ、小型、低コスト、高受信感度を実現することができる。
【００２７】
本発明の請求項１４に記載の送受信回路は、第１および第２の移相線路のいずれかもしくは両方をグランド間にパラレルにコンデンサ、シリーズにインダクタを接続したπ型もしくはＴ型ローパスフィルタタイプのＬＣ回路で構成した請求項６に記載の送受信回路であり、上記の構成とすることで送信側の増幅器の高調波成分をより効率良く除去し、他のシステムに悪影響を与えないより高性能な送受信回路とすることができる。
【００２８】
【発明の実施の形態】
（実施の形態１）
以下、本発明の実施の形態１について図面を参照しながら説明する。
【００２９】
図１は本発明の実施の形態１における送受信回路のブロック図である。
【００３０】
１はアンテナ端子、２は送信端子、３は受信端子、４は第１の増幅器、５は第１の移相線路、６は第２の移相線路、７は第２の増幅器、８は第１の増幅器４の電源端子、９は第２の増幅器７の電源端子である。
【００３１】
送信時には、電源端子８に電圧が印加されて第１の増幅器４がオンすると共に電源端子９には電圧が印加されずに第２の増幅器７がオフ状態になるように制御される。
【００３２】
このとき、第２の増幅器７の入力インピーダンスは電源がオフ状態であるため、それ単独で送信帯域においてほぼ純粋なリアクタンス成分のみとなり、反射係数が０．８以上の値が得られるようになっており、第２の増幅器７の入力端子に第２の移相線路６を接続することにより、図中Ａ点から受信端子３側を送信帯域で見たときのインピーダンスをほぼ開放状態とするように第２の移相線路６の電気長が決められている。
【００３３】
一方、受信時には、電源端子９に電圧が印加されて第２の増幅器７がオンすると共に電源端子８には電圧が印加されずに第１の増幅器４がオフ状態になるように制御される。
【００３４】
このとき、第１の増幅器４の出力インピーダンスは電源がオフ状態であるため、それ単独で受信帯域においてほぼ純粋なリアクタンス成分のみとなり、反射係数が０．８以上の値が得られるようになっており、第１の増幅器４の出力端子に第１の移相線路５を接続することにより、図中Ａ点から送信端子２側を受信帯域で見たときのインピーダンスをほぼ開放状態とするように第１の移相線路５の電気長が決められている。
【００３５】
また、第１の移相線路５および第２の移相線路６の特性インピーダンスは、送信および受信信号が反射損失を招くことなく伝送できるように決められているが、通常は５０Ωとすることが多い。
【００３６】
以上のような構成とすることにより、送信時には第１の増幅器４から出力される送信信号が受信回路側に漏れることなくアンテナ端子１に出力され、受信時にはアンテナ端子１から入力される受信信号が送信回路側に漏れることなく受信端子に出力することができる。即ち、従来必要であったスイッチを必要とせず、送受信回路を構成することができ、より低コストで低損失、デバイスの非線型性による特性劣化のない送受信回路を提供することができる。
【００３７】
（実施の形態２）
図２は本発明の実施の形態２における送受信回路のブロック図を示したものである。
【００３８】
本実施の形態２では図１で説明した第１の移相線路５をＣ−Ｌ−Ｃのπ型ＬＣ回路で構成され、さらに第２の移相線路６をＬ−Ｃ−Ｌのπ型ＬＣ回路で構成されている。このとき、各ＬＣ回路の回路定数は第１の移相線路５もしくは第２の移相線路６の持つ特性インピーダンス（Ｚ）と電気長（β１）および周波数（ｆ）により、算出することができる。
【００３９】
そして、本発明の実施の形態１で説明したように第１の移相線路５および第２の移相線路６の電気長、特性インピーダンスを決定し、これをＬＣ回路に変換することにより各回路定数を求めることが出来るが、このような構成とすることで送受切替えのスイッチを不要とすることのみならずＬＣ回路により帯域外の不要信号除去効果があることである。
【００４０】
したがって、図２に示した構成であれば送信側は高調波除去特性に優れ、また受信側は低域側の不要信号除去に優れる。
【００４１】
また、本回路を２．４ＧＨｚや５ＧＨｚ帯で使用されるＷＬＡＮシステムに採用すれば、特に８００ＭＨｚ帯、１．５ＧＨｚ帯、１．８ＧＨｚ帯、１．９ＧＨｚ帯および２．１ＧＨｚ帯でサービスされている各種携帯電話システムからの不要信号に対する受信回路の安定動作を確保することができる。
【００４２】
（実施の形態３）
図３は本発明の実施の形態３における送受信回路のブロック図を示したものである。
【００４３】
本実施の形態３は図１の送受信回路のブロック図に加えＡ点とアンテナ端子１の間に送信・受信信号帯域を通過帯域とするローパスフィルタ１０を挿入したものである。
【００４４】
上記の構成とすることにより、送信側においては第１の増幅器４からの高調波成分をより効率的に除去することが可能となる。
【００４５】
また、受信側においては通過帯域より高い周波数の不要信号を除去することができる。
【００４６】
（実施の形態４）
図４は本実施の形態４における送受信回路のブロック図である。
【００４７】
実施の形態２で説明したと同様に第１の移相線路５および第２の移相線路６をＬＣ回路としても良い。
【００４８】
そして、第２の移相線路６をハイパスフィルタ型のＬＣ回路として時には受信経路においてローパスフィルタ１０とＬＣ回路のハイパスフィルタで構成された第２の移相線路６によって、バンドパスフィルタ特性を実現することができる。
【００４９】
さらに、受信信号の帯域外不要信号をより効率的に除去することが可能となり、より安定な送受信回路とすることができる。
【００５０】
図５は本発明の実施の形態４における送受信回路の他のブロック図である。
【００５１】
図５において異なる周波数、たとえば２．４ＧＨｚ帯と５ＧＨｚ帯を用いるデュアルバンドのＷＬＡＮシステムに用いることができる回路構成である。
【００５２】
２ａ，２ｂはそれぞれ高周波数側、低周波数側の送信端子、３ａ，３ｂはそれぞれ高周波数側、低周波数側の受信端子、４ａ，４ｂはそれぞれ高周波数側、低周波数側の第１の増幅器、５ａ，５ｂはそれぞれ高周波数側、低周波数側の第１の増幅器４ａ，４ｂの出力端側に接続された移相線路、６ａ，６ｂはそれぞれ高周波数側、低周波数側の第２の増幅器の入力端に接続された移相線路、７ａ，７ｂはそれぞれ高周波数側、低周波数側の第２の増幅器、８ａ，８ｂはそれぞれ高周波数側、低周波数側の第１の増幅器４ａ，４ｂの電源端子、９ａ，９ｂはそれぞれ高周波数側、低周波数側の第２の増幅器７ａ，７ｂの電源端子、１１は送受信を切替えるスイッチである。
【００５３】
上記の構成において、高周波数帯での送信時には第１の増幅器４ａの電源端子８ａのみに電源が投入され、電源端子８ｂには電源が投入されない。
【００５４】
このときに、点Ｂから低周波数送信端子側（即ち２ｂ側）を高周波数帯での送信帯域で見たときのインピーダンスがほぼ開放になるように移相線路５ｂの電気長が決められている。
【００５５】
一方、低周波数帯での送信時には第１の増幅器４ｂの電源端子８ｂのみに電源が投入され、電源端子８ａには電源が投入されない。
【００５６】
このときに、点Ｂから高周波数送信端子側（即ち２ａ側）を低周波数帯での送信帯域で見たときのインピーダンスがほぼ開放になるように、移相線路５ａの電気長が決められている。
【００５７】
同様に、高周波数帯での受信時には第２の増幅器７ａの電源端子９ａのみに電源が投入され、電源端子９ｂには電源が投入されない。
【００５８】
このときに、点Ｃから低周波数受信端子側（即ち３ｂ側）を高周波数帯での受信帯域で見たときのインピーダンスがほぼ開放になるように移相線路６ｂの電気長が決められている。
【００５９】
一方、低周波数帯での受信時には第２の増幅器７ｂの電源端子９ｂのみに電源が投入され、電源端子９ａには電源が投入されない。
【００６０】
このときに、点Ｃから高周波数受信端子側（即ち３ａ側）を低周波数帯での送信帯域で見たときのインピーダンスがほぼ開放になるように移相線路６ａの電気長が決められている。
【００６１】
また、移相線路５ａ，５ｂ，６ａ，６ｂの特性インピーダンスはそれぞれの通過パスにおいて反射損失が発生しないように（通常５０Ω）設定されている。
【００６２】
上記の構成とすることにより、送信回路を切替えるスイッチおよび受信回路を切替えるスイッチを無くすことができ、部品点数が少なく、低コストで小型、低損失な送受信回路を提供することができる。
【００６３】
図６は実施の形態４における送受信回路の他のブロック図である。
【００６４】
本発明の実施の形態２で説明したと同様に、移相線路５ａ，５ｂ，６ａ，６ｂをＬＣ回路によるローパスフィルタ型もしくはハイパスフィルタ型の回路で構成することができる。
【００６５】
その結果、帯域外不要信号の除去を効率的に行うことができる。
【００６６】
（実施の形態５）
図７は本発明の実施の形態５における送受信回路のブロック図である。
【００６７】
本発明の実施の形態４における送受信回路のブロック図で示したものと同様に、図７においては異なる周波数、たとえば２．４ＧＨｚ帯と５ＧＨｚ帯を用いるデュアルバンドのＷＬＡＮシステムに用いることができる回路構成である。
【００６８】
本実施の形態５においては、実施の形態４と異なる構成は、スイッチ１１とアンテナ端子１の間にローパスフィルタ１０が挿入されていることである。
【００６９】
上記の構成とすることにより、第１の増幅器４ａもしくは４ｂの高調波成分をより効率的に除去することができる一方、受信時においても不要な高調波帯の信号を除去することができ、より特性のよい送受信回路を提供することができる。
【００７０】
図８は本発明の実施の形態５における送受信回路の他のブロック図である。移相線路５ａ，５ｂおよび移相線路６ａ，６ｂをＬＣ回路とし、例えば図８に示したように送信側の移相線路５ａおよび５ｂをローパスフィルタ型とし、受信側の移相線路６ａ，６ｂをハイパスフィルタ型のＬＣ回路として時には、送信時の高調波不要信号をさらに効率的に除去し、一方受信経路においてローパスフィルタ１０とＬＣ回路のハイパスフィルタで構成された移相線路６ａ，６ｂによって、トータルとしてはバンドパスフィルタ特性を実現することができ、受信信号の帯域外不要信号をより効率的に除去することが可能となり、より安定な送受信回路とすることができる。
【００７１】
（実施の形態６）
以下、本発明の実施の形態６について図面を参照しながら説明する。
【００７２】
図９は本発明の実施の形態６を示したものであるが、図９においては異なる周波数、たとえば２．４ＧＨｚ帯と５ＧＨｚ帯を用いるデュアルバンドのＷＬＡＮシステムに用いることができる回路構成である。
【００７３】
図９において、１２および１３は移相線路である。
【００７４】
高周波数帯での送信時には電源端子８ａのみに電源が投入され、電源端子８ｂ，９ａ，９ｂには電源が投入されない。
【００７５】
このときに、点Ｂから低周波数送信端子側（即ち２ｂ側）を高周波数帯での送信帯域で見たときのインピーダンスがほぼ開放になるように、移相線路５ｂの電気長が決められており、さらに点Ａから、受信回路全体を高周波数帯での送信帯域で見たときのインピーダンスがほぼ開放になるように移相線路１３の電気長が決められている。
【００７６】
一方、低周波数帯での送信時には電源端子８ｂのみに電源が投入され電源端子８ａ，９ａ，９ｂには電源が投入されない。このときに、点Ｂから高周波数送信端子側（即ち２ａ側）を低周波数帯での送信帯域で見たときのインピーダンスがほぼ開放になるように、移相線路５ａの電気長が決められており、さらに点Ａから、受信回路全体を低周波数帯での送信帯域で見たときのインピーダンスがほぼ開放になるように、移相線路１３の電気長が決められている。
【００７７】
同様に、高周波数帯での受信時には電源端子９ａのみに電源が投入され、電源端子８ａ，８ｂ，９ｂには電源が投入されない。このときに、点Ｃから低周波数受信端子側（即ち３ｂ側）を高周波数帯での受信帯域で見たときのインピーダンスがほぼ開放になるように移相線路６ｂの電気長が決められており、さらに点Ａから、送信回路全体を高周波数帯での受信帯域で見たときのインピーダンスがほぼ開放になるように移相線路１２の電気長が決められている。
【００７８】
一方、低周波数帯での受信時には電源端子９ｂのみに電源が投入され、電源端子８ａ，８ｂ，９ａには電源が投入されない。
【００７９】
このときに、点Ｃから高周波数受信端子側（即ち３ａ側）を低周波数帯での送信帯域で見たときのインピーダンスがほぼ開放になるように移相線路６ａの電気長が決められており、さらに点Ａから、送信回路全体を低周波数帯での受信帯域で見たときのインピーダンスがほぼ開放になるように移相線路１２の電気長が決められている。
【００８０】
また、移相線路５ａ，５ｂ，６ａ，６ｂの特性インピーダンスはそれぞれの通過パスにおいて反射損失が発生しないように（通常５０Ω）に設定されている。
【００８１】
上記の構成とすることにより、送受信を切替えるスイッチ、送信回路を切替えるスイッチおよび受信回路を切替えるスイッチを全て無くすことができ、部品点数が少なく、低コストで小型、低損失な送受信回路を提供することができる。
【００８２】
なお、本実施の形態６においては、本発明の実施の形態２で説明したと同様に移相線路５ａ，５ｂ，６ａ，６ｂをＬＣ回路によるローパスフィルタ型もしくはハイパスフィルタ型の回路で構成することができ、その結果、帯域外不要信号の除去を効率的に行うことができる。
【００８３】
なお、本実施の形態６は、各移相線路を図１０に示すようにＬＣ回路で構成されるローパスフィルタ型、もしくはハイパスフィルタ型で構成することも可能で、このときには、前述した実施の形態と同様に、通過帯域外の不要な信号を送信もしくは受信することがなくなるため、より安定した送受信回路を提供することができる。
【００８４】
【発明の効果】
以上のように、アンテナ端子と送信端子の間に第１の増幅器と第１の移相線路を直列に接続し、前記アンテナ端子と受信端子の間に第２の増幅器と第２の移相線路を直列に接続した送受信回路において、前記第１の増幅器の電源が遮断された際に受信帯域における前記第１の増幅器の出力インピーダンスがほぼ開放になるように第１の移相線路を設定し、さらに前記第２の増幅器の電源が遮断された際に送信帯域における前記第２の増幅器の入力インピーダンスがほぼ開放となるように第２の移相線路を設定した送受信回路の構成とすることにより送受の切替えを行うスイッチを無くすことができるため、部品点数が少なく低コストで低消費電流化、高受信感度化された送受信回路を提供することができる。
【図面の簡単な説明】
【図１】本発明の実施の形態１における送受信回路のブロック図
【図２】本発明の実施の形態２における送受信回路のブロック図
【図３】本発明の実施の形態３における送受信回路のブロック図
【図４】本発明の実施の形態４における送受信回路のブロック図
【図５】本発明の実施の形態４における送受信回路の他のブロック図
【図６】本発明の実施の形態４における送受信回路の他のブロック図
【図７】本発明の実施の形態５における送受信回路のブロック図
【図８】本発明の実施の形態５における送受信回路の他のブロック図
【図９】本発明の実施の形態６における送受信回路のブロック図
【図１０】本発明の実施の形態６における送受信回路の他のブロック図
【図１１】従来の送受信回路のブロック図
【符号の説明】
１  アンテナ端子
２  送信端子
３  受信端子
４  第１の増幅器
５，６  移相線路
７  第２の増幅器
８  第１の増幅器４の電源端子
９  第２の増幅器７の電源端子
【図１】
2004343517.tif 000003
【図２】
2004343517.tif 000004
【図３】
2004343517.tif 000005
【図４】
2004343517.tif 000006
【図５】
2004343517.tif 000007
【図６】
2004343517.tif 000008
【図７】
2004343517.tif 000009
【図８】
2004343517.tif 000010
【図９】
2004343517.tif 000011
【図１０】
2004343517.tif 000012
【図１１】
2004343517.tif 000013